(57)【要約】【課題】本発明の目的は動映像においてモーションブラー現象を最小化すると同時に生々しくて躍動的な映像を表示するようにした液晶表示装置の駆動方法及び駆動装置を提供する。【解決手段】本発明の液晶表示装置の駆動方法は、外部から入力されるデータを輝度成分に変換してフレーム単位のヒストグラムを生成する段階と、ヒストグラムから制御値を抽出する段階と、制御値に対応して、液晶パネルと重畳するように配置される多数のランプの点灯時間を調節する段階とを含む。【選択図】図５
2005196108.tif 000002
【特許請求の範囲】
【請求項１】
外部から入力されるデータを輝度成分に変換してフレーム単位のヒストグラムを生成する段階と、前記ヒストグラムにあらわされた輝度成分の階調から制御値を抽出する段階と、前記制御値に対応して、液晶パネルと重畳されるように配置されている多数のランプの点灯時間を調節する段階とを含むことを特徴とする液晶表示装置の駆動方法。
【請求項２】
前記制御値の階調が高くなるほど前記ランプの点灯時間が増加されて、前記制御値の階調が低くなるほど前記ランプの点灯時間が減少することを特徴とする請求項１記載の液晶表示装置の駆動方法。
【請求項３】
前記ランプの点灯時間を調節する段階では、前記制御値の階調を複数の階調領域に区分して、前記階調領域毎に前記ランプの点灯時間が相異なるように設定することを特徴とする請求項１記載の液晶表示装置の駆動方法。
【請求項４】
前記制御値の階調領域は、低い階調を含む最小領域、中間階調を含む中間領域及び高い階調を含む最大領域に分けられることを特徴とする請求項３記載の液晶表示装置の駆動方法。
【請求項５】
前記制御値が中間領域に属する時、前記ランプの点灯時間は第１期間に設定されることを特徴とする請求項４記載の液晶表示装置の駆動方法。
【請求項６】
前記制御値が前記最小領域に属する時、前記第１期間より短い時間の間、前記ランプを点灯することを特徴とする請求項５記載の液晶表示装置の駆動方法。
【請求項７】
前記制御値が前記最小領域に属する時、前記制御値の階調に比例して前記点灯時間が調節されることを特徴とする請求項６記載の液晶表示装置の駆動方法。
【請求項８】
前記制御値が前記最大領域に属する時、前記第１期間より長い時間の間、前記ランプを点灯することを特徴とする請求項５記載の液晶表示装置の駆動方法。
【請求項９】
前記制御値が前記最大領域に属する時、前記制御値の階調に比例して前記点灯時間が調節されることを特徴とする請求項８記載の液晶表示装置の駆動方法。
【請求項１０】
前記ランプは順次的に点灯されることを特徴とする請求項１記載の液晶表示装置の駆動方法。
【請求項１１】
前記制御値として前記ヒストグラム階調の平均値を示す平均値及び前記ヒストグラムで一番多い頻度数を占める最頻値の中からいずれかが選択されることを特徴とする請求項１記載の液晶表示装置の駆動方法。
【請求項１２】
前記最頻値が制御値として選択される場合、前記最頻値の頻度数を判断して以前最頻値または現在最頻値の中からいずれかの最頻値が前記制御値として選択されることを特徴とする請求項１１記載の液晶表示装置の駆動方法。
【請求項１３】
前記現在最頻値の頻度数が全体ピクセルの４０％以下に設定される場合、前記以前最頻値が前記制御値として選択されて、それ以外の場合には前記現在最頻値が前記制御値として選択されることを特徴とする請求項１２記載の液晶表示装置の駆動方法。
【請求項１４】
前記制御値を抽出する段階は、前記ヒストグラムから多数の映像判別因子を抽出する段階と、前記映像判別因子に加重値を付与する段階と、前記加重値が付与された映像判別因子を利用して制御値を生成する段階とを含むことを特徴とする請求項１記載の液晶表示装置の駆動方法。
【請求項１５】
前記映像判別因子は、前記ヒストグラム階調の平均値を示す平均値、前記ヒストグラムにおいて一番多い頻度数を占める最頻値、前記ヒストグラムの階調値を頻度数によって並べる時、その中間に位する中位値、前記ヒストグラムの最大階調値、前記ヒストグラムの最小階調値、前記最大階調値及び最小階調値の間の範囲を示す範囲値、前記最大階調値及び最小階調値の間の中間階調値を示す中間値を含むことを特徴とする請求項１４記載の液晶表示装置の駆動方法。
【請求項１６】
前記加重値を付与する段階では、前記平均値及び最頻値に高い加重値を付与して、前記範囲値に前記平均値及び最頻値より低い加重値を付与すると同時に、前記最小階調値、最大階調値、中位値及び中間値に前記範囲値より低い加重値を付与することを特徴とする請求項１５記載の液晶表示装置の駆動方法。
【請求項１７】
前記制御値を生成する段階では、前記加重値が付与された映像判別因子を加えた後、前記加えて生成された値を前記映像判別因子の数で分けて前記制御値を生成することを特徴とする請求項１５記載の液晶表示装置の駆動方法。
【請求項１８】
前記ヒストグラムを利用して明暗対比が拡張された変調された輝度成分を生成する段階と、前記変調された輝度成分を利用して出力データを生成する段階をさらに含むことを特徴とする請求項１記載の液晶表示装置の駆動方法。
【請求項１９】
外部から入力されるデータを輝度成分及び色彩成分に変換するための輝度／色分離部と、前記輝度成分をフレーム単位のヒストグラムに変換するヒストグラム分析部と、前記ヒストグラム分析部で分析されたヒストグラムを利用して多数のランプの点灯時間を調節するための明るさ制御信号を生成するバックライト制御手段を具備することを特徴とする液晶表示装置の駆動装置。
【請求項２０】
前記バックライト制御手段からの前記明るさ制御信号に応答して前記多数のランプの点灯時間を調節するためのインバータをさらに具備することを特徴とする請求項１９記載の液晶表示装置の駆動装置。
【請求項２１】
前記インバータは前記多数のランプを順次的に点灯させることを特徴とする請求項２０記載の液晶表示装置の駆動装置。
【請求項２２】
前記バックライト制御手段は、前記ヒストグラムから制御値を抽出するための制御値抽出部と、前記制御値抽出部で抽出された前記制御値に対応して前記明るさ制御信号を生成するバックライト制御部とを具備することを特徴とする請求項１９記載の液晶表示装置の駆動装置。
【請求項２３】
前記バックライト制御部は、前記制御値の階調が高くなるほど前記ランプの点灯時間が増加されて、前記制御値の階調が低くなるほど前記ランプの点灯時間が減少されるように前記明るさ制御信号を生成することを特徴とする請求項２２記載の液晶表示装置の駆動装置。
【請求項２４】
前記バックライト制御部は、前記制御値の階調を複数の階調領域に区分して、前記階調領域毎に前記ランプの点灯時間が相異なるように前記明るさ制御信号を生成することを特徴とする請求項２２記載の液晶表示装置の駆動装置。
【請求項２５】
前記バックライト制御部は、低い階調を含む最小領域、中間階調を含む中間領域及び高い階調を含む最大領域で前記制御値の階調を分けることを特徴とする請求項２４記載の液晶表示装置の駆動装置。
【請求項２６】
前記バックライト制御部は、前記制御値抽出部から供給される前記制御値が前記中間領域に属する時、前記ランプの点灯時間が第１期間に設定されるように前記明るさ制御信号を生成することを特徴とする請求項２５記載の液晶表示装置の駆動装置。
【請求項２７】
前記バックライト制御部は、前記制御値抽出部から供給される前記制御値が前記最小領域に属する時、前記第１期間より短い期間の間、前記ランプが点灯されるように前記明るさ制御信号を生成することを特徴とする請求項２６記載の液晶表示装置の駆動装置。
【請求項２８】
前記バックライト制御部は、前記制御値が前記最小領域に属する時、前記制御値の階調に比例して前記点灯時間が調節されるように前記明るさ制御信号を生成することを特徴とする請求項２７記載の液晶表示装置の駆動装置。
【請求項２９】
前記バックライト制御部は、前記制御値抽出部から供給される前記制御値が前記最大領域に属する時、前記第１期間より長い期間の間前記ランプが点灯されるように前記明るさ制御信号を生成することを特徴とする請求項２６記載の液晶表示装置の駆動装置。
【請求項３０】
前記バックライト制御部は、前記制御値が前記最大領域に属する時、前記制御値の階調に比例して前記点灯時間が調節されるように前記明るさ制御信号を生成することを特徴とする請求項２９記載の液晶表示装置の駆動装置。
【請求項３１】
前記制御値抽出部は前記ヒストグラムで一番多い頻度数を占める最頻値を抽出することを特徴とする請求項２２記載の液晶表示装置の駆動装置。
【請求項３２】
前記制御値抽出部は、前記現在抽出された最頻値の頻度数が全体ピクセルの４０％以下に設定される場合、以前最頻値を制御値として選択して、それ以外の場合には前記現在抽出された最頻値を制御値として選択することを特徴とする請求項３１記載の液晶表示装置の駆動装置。
【請求項３３】
前記バックライト制御手段は、前記ヒストグラムから多数の映像判別因子を抽出して、前記映像判別因子を利用して前記制御値を生成するための制御値生成部と、前記多数の映像判別因子に加重値を付与するための加重値付与部と、前記制御値生成部から生成された前記制御値に対応して前記明るさ制御信号を生成するバックライト制御部と、を具備することを特徴とする請求項１９記載の液晶表示装置の駆動装置。
【請求項３４】
前記制御値生成部は、前記映像判別因子で前記ヒストグラム階調の平均値を示す平均値、前記ヒストグラムで一番多い頻度数を占める最頻値、前記ヒストグラムの階調値を頻度数に沿って並べる時、その中間に位する中位値、前記ヒストグラムの最大階調値、前記ヒストグラムの最小階調値、前記最大階調値及び最小階調値の間の範囲を示す範囲値、前記最大階調値及び最小階調値の間の中間階調値を示す中間値を抽出することを特徴とする請求項３３記載の液晶表示装置の駆動装置。
【請求項３５】
前記加重値付与部は、前記平均値及び最頻値に高い加重値を付与して、前記範囲値に前記平均値及び最頻値より低い加重値を付与すると同時に、前記最小階調値、最大階調値、中位値及び中間値に前記範囲値より低い加重値を付与することを特徴とする請求項３４記載の液晶表示装置の駆動装置。
【請求項３６】
前記制御値生成部は、前記加重値が付与された映像判別因子を加えた後、前記加えて生成された値を前記映像判別因子の数で分けて前記制御値を生成することを特徴とする請求項３３記載の液晶表示装置の駆動装置。
【請求項３７】
前記ヒストグラム分析部で分析された前記ヒストグラムを利用して明暗対備が強調された変調された輝度成分を生成するためのデータ処理部と、前記データ処理部で前記変調された輝度成分が生成されるまで前記色彩成分を遅延させるための遅延部と、前記変調された輝度成分と前記遅延部から遅延された前記色彩成分を利用して明暗対備が強調された出力データを生成するための輝度／色ミキシング部をさらに具備することを特徴とする請求項１９記載の液晶表示装置の駆動装置。
【発明の詳細な説明】
【技術分野】
【０００１】
本発明は液晶表示装置の駆動方法及び駆動装置に関するもので、特に、液晶パネルのデータ維持特性に基づいて動画が薄暗く見えるモーションブラー（Ｍｏｔｉｏｎ  Ｂｌｕｒ）現象を最小化すると同時に生々しくて躍動的な映像を表示するようにした液晶表示装置の駆動方法及び駆動装置に関するものである。
【背景技術】
【０００２】
液晶表示装置はビデオ信号により液晶セルの光透過率を調節して画像を表示する。このような液晶表示装置は、セル毎にスイチング素子が形成されたアクティブマトリックス（Ａｃｔｉｖｅ  Ｍａｔｒｉｘ）タイプに具現されており、コンピュータ用モニター、事務機器、セルルルラホンなどの表示装置に適用されている。アクティブマトリックスタイプの液晶表示装置に使われるスイチング素子では、主に薄膜トランジスタ（Ｔｈｉｎ  Ｆｉｌｍ  Ｔｒａｎｓｉｓｔｏｒ；以下、“ＴＦＴ”という）が利用されている。
【０００３】
図１は従来の液晶表示装置の駆動装置を概略的に示したものである。
【０００４】
図１を参照すれば、従来の液晶表示装置の駆動装置はｍ×ｎ個の液晶セルＣｌｃがマトリックスタイプに配列されてｍ個のデータラインＤ１乃至Ｄｍとｎ個のゲートラインＧ１乃至Ｇｎが交差しており、その交差部にＴＦＴが形成された液晶パネル２と、液晶パネル２のデータラインＤ１乃至Ｄｍにデータ信号を供給するためのデータドライバ４と、ゲートラインＧ１乃至Ｇｎにスキャン信号を供給するためのゲートドライバ６と、データドライバ４にガンマ電圧を供給するためのガンマ電圧供給部８と、システム２０から供給される同期信号を利用してデータドライバ４とゲートドライバ６を制御するためのタイミングコントローラ１０と、電源供給部１２から供給される電圧を利用して液晶パネル２に供給される電圧を発生するための直流／直流変換部（以下、“ＤＣ／ＤＣ変換部”という）１４と、バックライト１８を駆動するためのインバータ１６を具備する。
【０００５】
システム２０は、垂直／水平同期信号Ｖｓｙｎｃ、Ｈｓｙｎｃ、クロック信号ＤＣＬＫ、データイネーブル信号ＤＥ及びデータＲ、Ｇ、Ｂをタイミングコントローラ１０に供給する。
【０００６】
液晶パネル２は、データラインＤ１乃至Ｄｍ及びゲートラインＧ１乃至Ｇｎの交差部にマトリックス形態に配置される多数の液晶セルＣｌｃを具備する。液晶セルＣｌｃにそれぞれ形成されたＴＦＴは、ゲートラインＧから供給されるスキャン信号に応答してデータラインＤ１乃至Ｄｍから供給されるデータ信号を液晶セルＣｌｃに供給する。尚、液晶セルＣｌｃそれぞれにはストレージキャパシタＣｓｔが形成される。ストレージキャパシタＣｓｔは液晶セルＣｌｃの画素電極と電端ゲートラインの間に形成されるか、液晶セルＣｌｃの画素電極と共通電極ラインの間に形成されて、液晶セルＣｌｃの電圧を一定に維持させる。
【０００７】
ガンマ電圧供給部８は多数のガンマ電圧をデータドライバ４に供給する。
【０００８】
データドライバ４は、タイミングコントローラ１０からの制御信号ＣＳに応答してデジタルビデオデータＲ、Ｇ、Ｂを階調値に対応するアナログガンマ電圧（データ信号）に変換して、このアナログガンマ電圧をデータラインＤ１乃至Ｄｍに供給する。
【０００９】
ゲートドライバ６は、タイミングコントローラ１０からの制御信号ＣＳに応答してスキャンパルスをゲートラインＧ１乃至Ｇｎに順次的に供給して、データ信号が供給される液晶パネル２の水平ラインを選択する。
【００１０】
タイミングコントローラ１０は、システム２０から入力される垂直／水平同期信号Ｖｓｙｎｃ、Ｈｓｙｎｃ及びクロック信号ＤＣＬＫを利用してゲートドライバ６及びデータドライバ４を制御するための制御信号ＣＳを生成する。ここでゲートドライバ６を制御するための制御信号ＣＳには、ゲートスタートパルス（Ｇａｔｅ  Ｓｔａｒｔ  Ｐｕｌｓｅ；ＧＳＰ）、ゲートシフトクロック（Ｇａｔｅ  Ｓｈｉｆｔ  Ｃｌｏｃｋ；ＧＳＣ）、ゲート出力信号（Ｇａｔｅ  Ｏｕｔｐｕｔ  Ｅｎａｂｌｅ；ＧＯＥ）などが含まれる。また、データドライバ４を制御するための制御信号ＣＳには、ソーススタートパルス（Ｓｏｕｒｃｅ  Ｓｔａｒｔ  Ｐｕｌｓｅ；ＳＳＰ）、ソースシフトクロック（Ｓｏｕｒｃｅ  Ｓｈｉｆｔ  Ｃｌｏｃｋ；ＳＳＣ）、ソース出力信号（Ｓｏｕｒｃｅ  Ｏｕｔｐｕｔ  Ｅｎａｂｌｅ；ＳＯＣ）及び極性信号（Ｐｏｌａｒｉｔｙ；ＰＯＬ）などが含まれる。また、タイミングコントローラ１０は、システム２０から供給されるデータＲ、Ｇ、Ｂを再整列してデータドライバ４に供給する。
【００１１】
ＤＣ／ＤＣ変換部１４は、電源供給部１２から入力される３.３Ｖの電圧を昇圧または減圧して液晶パネル２に供給される電圧を発生する。このようなＤＣ／ＤＣ変換部１４はガンマ基準電圧、ゲートハイ電圧ＶＧＨ、ゲートロー電圧ＶＧＬ及び共通電圧Ｖｃｏｍなどを生成する。
【００１２】
インバータ１６はバックライト１８を駆動させるための駆動電圧（駆動電流）をバックライト１８に供給する。バックライト１８はインバータ１６から供給される駆動電圧（または、駆動電流）に対応する光を生成して液晶パネル２に供給する。
【００１３】
このように駆動される液晶パネル２で躍動感のある映像を表示するためには、データに対応して明暗（明るさと暗さ）対比を明らかにしなければならない。しかし、従来のバックライト１８はデータと無関係に常に一定の明るさの輝度を生成するから、躍動的で生々しい映像を表示することが困難である。
【発明の開示】
【発明が解決しようとする課題】
【００１４】
したがって、本発明の目的は動映像でモーションブラー（Ｍｏｔｉｏｎ  Ｂｌｕｒ）現象を最小化すると同時に生々しくて躍動的な映像を表示するようにした液晶表示装置の駆動方法及び駆動装置を提供するものである。
【課題を解決するための手段】
【００１５】
前記目的を達成するために、本発明の液晶表示装置の駆動方法は、外部から入力されるデータを輝度成分に変換してフレーム単位のヒストグラムを生成する段階と、ヒストグラムにあらわされた輝度成分の階調（ヒストグラム階調）から制御値を抽出する段階と、制御値の階調に対応して、液晶パネルと重畳されるように配置されている多数のランプの点灯時間を調節する段階とを含む。
【００１６】
前記制御値の階調が高くなるほどランプの点灯時間が増加されて、制御値の階調が低くなるほどランプの点灯時間が減少する。
【００１７】
前記ランプの点灯時間を調節する段階では制御値の階調を複数の階調領域に区分して階調領域毎にランプの点灯時間が相異なるように設定する。
【００１８】
前記制御値の階調領域は、低い階調を含む最小領域、中間階調を含む中間領域及び高い階調を含む最大領域に分けられる。
【００１９】
前記制御値が中間領域に属する時、ランプの点灯時間は第１期間に設定される。
【００２０】
前記制御値が最小領域に属する時、第１期間より短い時間の間ランプを点灯する。
【００２１】
前記制御値が最小領域に属する時、制御値の階調に比例して点灯時間が調節される。
【００２２】
前記制御値が最大領域に属する時、第１期間より長い時間の間ランプを点灯する。
【００２３】
前記制御値が最大領域に属する時、制御値の階調に比例して点灯時間が調節される。
【００２４】
前記ランプは順次的に点灯される。
【００２５】
前記制御値としてヒストグラム階調の平均値を示す平均値及びヒストグラムで一番多い頻度数を占める最頻値の中からいずれかが選択される。
【００２６】
前記最頻値が制御値として選択される場合、最頻値の頻度数を判断して以前最頻値または現在最頻値の中からいずれかの最頻値が制御値として選択される。
【００２７】
前記現在最頻値の頻度数が全体ピクセルの４０％以下に設定される場合、以前最頻値が制御値として選択されて、それ以外の場合には現在最頻値が制御値として選択される。
【００２８】
前記制御値を抽出する段階は、ヒストグラムから多数の映像判別因子を抽出する段階と、映像判別因子に加重値を付与する段階と、加重値が付与された映像判別因子を利用して制御値を生成する段階とを含む。
【００２９】
前記映像判別因子は、ヒストグラム階調の平均値を示す平均値、ヒストグラムで一番多い頻度数を占める最頻値、ヒストグラムの階調値を頻度数に沿って並べる時その中間に位する中位値、ヒストグラムの最大階調値、ヒストグラムの最小階調値、最大階調値及び最小階調値の間の範囲を示す範囲値、最大階調値及び最小階調値の間の中間階調値を示す中間値を含む。
【００３０】
前記加重値を付与する段階では、平均値及び最頻値に高い加重値を付与して、範囲値に平均値及び最頻値より低い加重値を付与すると同時に、最小階調値、最大階調値、中位値及び中間値に範囲値より低い加重値を付与する。
【００３１】
前記制御値を生成する段階では、加重値が付与された映像判別因子を加えた後、加えて生成された値を映像判別因子の数で割って制御値を生成する。
【００３２】
前記ヒストグラムを利用して明暗対比が拡張された変調された輝度成分を生成する段階と、変調された輝度成分を利用して出力データを生成する段階をさらに含む。
【００３３】
本発明の液晶表示装置の駆動装置は、外部から入力されるデータを輝度成分及び色彩成分に変換するための輝度／色分離部と、輝度成分をフレーム単位のヒストグラムに変換するヒストグラム分析部と、ヒストグラム分析部で分析されたヒストグラムを利用して多数のランプの点灯時間を調節するための明るさ制御信号を生成するバックライト制御手段と、を具備する。
【００３４】
前記バックライト制御手段からの明るさ制御信号に応答して多数のランプの点灯時間を調節するためのインバータをさらに具備する。
【００３５】
前記インバータは多数のランプを順次的に点灯させる。
【００３６】
前記バックライト制御手段は、ヒストグラムから制御値を抽出するための制御値抽出部と、制御値抽出部から抽出された制御値に対応して明るさ制御信号を生成するバックライト制御部とを具備する。
【００３７】
前記バックライト制御部は、制御値の階調が高くなるほどランプの点灯時間が増加されて、制御値の階調が低くなるほどランプの点灯時間が減少されるように明るさ制御信号を生成する。
【００３８】
前記バックライト制御部は、制御値の階調を複数の階調領域に区分して、各階調領域毎にランプの点灯時間が相異なるように明るさ制御信号を生成する。
【００３９】
前記バックライト制御部は、低い階調を含む最小領域、中間階調を含む中間領域及び高い階調を含む最大領域に制御値の階調を分ける。
【００４０】
前記バックライト制御部は、制御値抽出部から供給される制御値が中間領域に属する時にランプの点灯時間が第１期間に設定されるように明るさ制御信号を生成する。
【００４１】
前記バックライト制御部は、制御値抽出部から供給される制御値が最小領域に属する時に第１期間より短い期間の間ランプが点灯されるように明るさ制御信号を生成する。
【００４２】
前記バックライト制御部は、制御値が最小領域に属する時に制御値の階調に比例して点灯時間が調節されるように明るさ制御信号を生成する。
【００４３】
前記バックライト制御部は、制御値抽出部から供給される制御値が最大領域に属する時に第１期間より長い期間の間ランプが点灯されるように明るさ制御信号を生成する。
【００４４】
前記バックライト制御部は、制御値が最大領域に属する時に制御値の階調に比例して点灯時間が調節されるように明るさ制御信号を生成する。
【００４５】
前記制御値抽出部はヒストグラムで一番多い頻度数を占める最頻値を抽出する。
【００４６】
前記制御値抽出部は、現在抽出された最頻値の頻度数が全体ピクセルの４０％以下に設定される場合、以前最頻値を制御値として選択して、その以外の場合には現在抽出された最頻値を制御値として選択する。
【００４７】
前記バックライト制御手段は、ヒストグラムから多数の映像判別因子を抽出して、映像判別因子を利用して制御値を生成するための制御値生成部と、多数の映像判別因子に加重値を付与するための加重値付与部と、制御値生成部で生成された制御値に対応して明るさ制御信号を生成するバックライト制御部と、を具備する。
【００４８】
前記制御値生成部は、映像判別因子でヒストグラム階調の平均値を示す平均値、ヒストグラムで一番多い頻度数を占める最頻値、ヒストグラムの階調値を頻度数に沿って並べる時その中間に位する中位値、ヒストグラムの最大階調値、ヒストグラムの最小階調値、最大階調値及び最小階調値の間の範囲を示す範囲値、最大階調値及び最小階調値の間の中間階調値を示す中間値を抽出する。
【００４９】
前記加重値付与部は、前記平均値及び最頻値に高い加重値を付与して、範囲値に平均値及び最頻値より低い加重値を付与すると同時に、最小階調値、最大階調値、中位値及び中位値に範囲値より低い加重値を付与する。
【００５０】
前記制御値生成部は、加重値が付与された映像判別因子を加えた後、加えて生成された値を映像判別因子の数で割って制御値を生成する。
【００５１】
前記ヒストグラム分析部で分析されたヒストグラムを利用して明暗対比が強調された変調された輝度成分を生成するためのデータ処理部と、データ処理部で変調された輝度成分が生成されるまで色彩成分を遅延させるための遅延部と、変調された輝度成分と遅延部で遅延された色彩成分を利用して明暗対比が強調された出力データを生成するための輝度／色ミキシング部をさらに具備する。
【発明の効果】
【００５２】
上述したように、本発明に係る液晶表示装置の駆動方法及び駆動装置によると、一つのフレーム分の輝度成分を利用してヒストグラムを生成して、このヒストグラムを利用して明暗対比が強調された第２データを生成するので、躍動感のある映像を表示することができる。同時に本発明ではヒストグラムから制御値を抽出して、この制御値を利用してバックライトのオン時間を制御する（すなわち、輝度制御）ことで生々しく躍動感のある映像を表示することができる。尚、本発明ではバックライトを順次的に点灯させることでモーションブラー現象を最小化することができる。
【発明を実施するための最良の形態】
【００５３】
［実施例］
以下図２乃至図９Ｂを参照して本発明の望ましい実施例について説明する。
【００５４】
図２は本発明の実施例に係る液晶表示装置の駆動装置を示すブロック図である。
【００５５】
図２を参照すれば、本発明の実施例に係る液晶表示装置の駆動装置はm×n個の液晶セルＣｌｃがマトリックスタイプに配列されてm個のデータラインＤ１乃至Ｄｍとn個のゲートラインＧ１乃至Ｇｎが交差されており、その交差部にＴＦＴが形成された液晶パネル２２と、液晶パネル２２のデータラインＤ１乃至Ｄｍにデータ信号を供給するためのデータドライバ２４と、ゲートラインＧ１乃至Ｇｎにスキャン信号を供給するためのゲートドライバ２６と、データドライバ２４にガンマ電圧を供給するためのガンマ電圧供給部２８と、画質改善部４２から供給される第２同期信号を利用してデータドライバ２４とゲートドライバ２６を制御するためのタイミングコントローラ３０と、電源供給部３２から供給される電圧を利用して液晶パネル２２に供給される電圧を発生するためのＤＣ／ＤＣ変換部３４と、バックライト３８を駆動するためのインバータ３６と、入力データの明暗対比を選択的に強調すると同時に入力データに対応する明るさ制御信号（Ｄｉｍｍｉｎｇ）をインバータ３６に供給するための画質改善部４２と、を具備する。
【００５６】
システム４０は、第１垂直／水平同期信号Ｖｓｙｎｃ１、Ｈｓｙｎｃ１、第１クロック信号ＤＣＬＫ１、第１データイネーブル信号ＤＥ１及び第１データＲｉ、Ｇｉ、Ｂｉを画質改善部４２に供給する。
【００５７】
液晶パネル２２は、データラインＤ１乃至Ｄｍ及びゲートラインＧ１乃至Ｇｎの交差部にマトリックス形態に配置される多数の液晶セルＣｌｃを具備する。液晶セルＣｌｃにそれぞれ形成されたＴＦＴは、ゲートラインＧから供給されるスキャン信号に応答してデータラインＤ１乃至Ｄｍから供給されるデータ信号を液晶セルＣｌｃに供給する。尚、液晶セルＣｌｃそれぞれにはストレージキャパシタＣｓｔが形成される。ストレージキャパシタＣｓｔは液晶セルＣｌｃの画素電極と電端ゲートラインの間に形成されるか、液晶セルＣｌｃの画素電極と共通電極ラインの間に形成されて、液晶セルＣｌｃの電圧を一定に維持させる。
【００５８】
ガンマ電圧供給部２８は多数のガンマ電圧をデータドライバ２４に供給する。
【００５９】
データドライバ２４は、タイミングコントローラ３０からの制御信号ＣＳに応答してデジタルビデオデータＲｏ、Ｇｏ、Ｂｏを階調値に対応するアナログガンマ電圧（データ信号）に変換して、このアナログガンマ電圧をデータラインＤ１乃至Ｄｍに供給する。
【００６０】
ゲートドライバ２６は、タイミングコントローラ３０からの制御信号ＣＳに応答してスキャンパルスをゲートラインＧ１乃至Ｇｎに順次的に供給してデータ信号が供給される液晶パネル２２の水平ラインを選択する。
【００６１】
タイミングコントローラ３０は、画質改善部４２から入力される第２垂直／水平同期信号Ｖｓｙｎｃ２、Ｈｓｙｎｃ２及び第２クロック信号ＤＣＬＫ２を利用してゲートドライバ２６及びデータドライバ２４を制御するための制御信号ＣＳを生成する。ここでゲートドライバ２６を制御するための制御信号ＣＳには、ゲートスタートパルス（Ｇａｔｅ  Ｓｔａｒｔ  Ｐｕｌｓｅ；ＧＳＰ）、ゲートシフトクロック（Ｇａｔｅ  Ｓｈｉｆｔ  Ｃｌｏｃｋ；ＧＳＣ）、ゲート出力信号（Ｇａｔｅ  Ｏｕｔｐｕｔ  Ｅｎａｂｌｅ；ＧＯＥ）などが含まれる。及び、データドライバ２４を制御するための制御信号ＣＳには、ソーススタートパルス（Ｓｏｕｒｃｅ  Ｓｔａｒｔ  Ｐｕｌｓｅ；ＳＳＰ）、ソースシフトクロック（Ｓｏｕｒｃｅ  Ｓｈｉｆｔ  Ｃｌｏｃｋ；ＳＳＣ）、ソース出力信号（Ｓｏｕｒｃｅ  Ｏｕｔｐｕｔ  Ｅｎａｂｌｅ；ＳＯＣ）及び極性信号（Ｐｏｌａｒｉｔｙ；ＰＯＬ）などが含まれる。同時に、タイミングコントローラ３０は画質改善部４２から供給される第２データＲｏ、Ｇｏ、Ｂｏを再整列してデータドライバ２４に供給する。
【００６２】
ＤＣ／ＤＣ変換部３４は、電源供給部３２から入力される３.３Ｖの電圧を昇圧または減圧して液晶パネル２２に供給される電圧を発生する。このようなＤＣ／ＤＣ 変換部３４はガンマ基準電圧、ゲートハイ電圧ＶＧＨ、ゲートロー電圧ＶＧＬ及び共通電圧Ｖｃｏｍなどを生成する。
【００６３】
バックライト部３８は、図３のように液晶パネル２２と重畳されるように設置される多数のバックライト３８ａ乃至３８ｉを具備する。バックライト３８ａ乃至３８ｉはインバータ３６に制御されながら液晶パネル２２の全面に光を直接供給する。これによって液晶パネル２２は高い輝度及び広い発光面を有する。
【００６４】
インバータ３６は、バックライト部３８に含まれたバックライト３８ａ乃至３８ｉのそれぞれに駆動信号（例えば、ＰＷＭ）を供給してバックライト３８ａ乃至３８ｉのオン／オフを制御する。ここで、インバータ３６はモーションブラー（Ｍｏｔｉｏｎ  Ｂｌｕｒ）現象を最小化することができるように、図４のようにバックライト３８ａ乃至３８ｉを順次的に点灯させる。バックライト３８ａ乃至３８ｉが順次的に点灯されれば液晶パネル２２でモーションブラー現象を最小化することができる。
【００６５】
これを詳細に説明すれば、陰極線管（ＣＲＴ）で動映像を表示する場合にはモーションブラー現象は発生しない。すなわち、陰極線管は画像を維持するホールド特性を有していないからモーションブラー現象が発生しない。しかし、液晶パネルはデータ信号を維持するホールド特性（液晶の維持特性）を有しているから表示画像が薄暗く見えるモーションブラー現象が発生する。したがって、本発明では図４のようにバックライト３８ａ乃至３８ｉを順次的に点灯させて液晶パネル２２でモーションブラー現象を最小化する。一方、インバータ３６は画質改善部４２から供給される明るさ制御信号（Ｄｉｍｍｉｎｇ）に対応してバックライト３８ａ乃至３８ｉのオン時間を調節する。これに対する詳細な説明は後述する。
【００６６】
画質改善部４２は、システム４０から入力される第１データＲｉ、Ｇｉ、Ｂｉを利用してフレーム単位で輝度成分を抽出して、抽出されたフレーム単位の輝度成分に対応して第１データＲｉ、Ｇｉ、Ｂｉの階調値を変更した第２データＲｏ、Ｇｏ、Ｂｏを生成する。ここで、画質改善部４２は入力データＲｉ、Ｇｉ、Ｂｉに対比して明暗対比が拡張されるように第２データＲｏ、Ｇｏ、Ｂｏを生成する。
【００６７】
また、画質改善部４２は、輝度成分に対応する明るさ制御信号（Ｄｉｍｍｉｎｇ）を生成してインバータ３６に供給する。実質的に画質改善部４２は輝度成分からバックライトを制御することができる制御値（例えば、最頻値（一つのフレーム内で一番多く存在する階調値））を抽出して、抽出された制御値を利用して明るさ制御信号（Ｄｉｍｍｉｎｇ）を生成する。
【００６８】
尚、画質改善部４２は、システム４０から入力される第１垂直／水平同期信号Ｖｓｙｎｃ１、Ｈｓｙｎｃ１、第１クロック信号ＤＣＬＫ１、第１データイネーブル信号ＤＥ１を利用して第２データＲｏ、Ｇｏ、Ｂｏに同期される第２垂直／水平同期信号Ｖｓｙｎｃ２、Ｈｓｙｎｃ２、第２クロック信号ＤＣＬＫ２、第２データイネーブル信号ＤＥ２を生成する。
【００６９】
このために、画質改善部４２は図５のように、第１データＲｉ、Ｇｉ、Ｂｉを利用して第２データＲｏ、Ｇｏ、Ｂｏを生成するための映像信号変調手段７０と、映像信号変調手段７０の制御により明るさ制御信号（Ｄｉｍｍｉｎｇ）を生成するためのバックライト制御手段７２、及び第２垂直／水平同期信号Ｖｓｙｎｃ２、Ｈｓｙｎｃ２、第２クロック信号ＤＣＬＫ２、第２データイネーブル信号ＤＥ２を生成するための制御部６８を具備する。
【００７０】
映像信号変調手段７０は、第１データＲｉ、Ｇｉ、Ｂｉから輝度成分Ｙを抽出して、抽出された輝度成分Ｙを利用して明暗対比が部分的に強調された第２データＲｏ、Ｇｏ、Ｂｏを生成する。このために、映像信号変調手段７０は輝度／色分離部５０、遅延部５２、輝度／色ミキシング部５４、ヒストグラム分析部５６及びデータ処理部５８を具備する。
【００７１】
輝度／色分離部５０は、第１データＲｉ、Ｇｉ、Ｂｉを輝度成分Ｙ及び色彩成分Ｕ、Ｖに分離する。ここで、輝度成分Ｙ及び色彩成分Ｕ、Ｖそれぞれは数学式１乃至３により求められる。
【００７２】
［数学式１］
Ｙ＝０.２２９×Ｒｉ＋０.５８７×Ｇｉ＋０.１１４×Ｂｉ
［数学式２］
Ｕ＝０.４９３×（Ｂｉ−Ｙ）
［数学式３］
Ｖ＝０.８８７×（Ｒｉ−Ｙ）
【００７３】
ヒストグラム分析部５６は輝度成分Ｙをフレーム単位の階調に区分する。言い換えると、ヒストグラム分析部５６はフレーム単位で輝度成分Ｙを階調に対応されるように配置して図６のようなヒストグラム（Ｈｉｓｔｏｇｒａｍ）を得る。ここで、ヒストグラムの模様は第１データＲｉ、Ｇｉ、Ｂｉの輝度成分に対応して多様に設定される。
【００７４】
データ処理部５８はヒストグラム分析部５６から分析されたヒストグラムを利用して明暗対比が強調された変調された輝度成分ＹＭを生成する。実際に、データ処理部５８は多様な方法により変調された輝度成分ＹＭを生成する。データ処理部５８で明暗対比が拡張されるように変調する方法は、本件出願より先出願された大韓民国特許出願”２００３-０３６２８９”、”２００３-０４０１２７”、”２００３-０４１１２７”、”２００３-８０１７７”、”２００３-８１１７１”、”２００３-８１１７２”、”２００３-８１１７３”、”２００３-８１１７５”などに記述された方法を利用することができる。同時に、データ処理部５８は現在公知の方法を利用して明暗対比が強調された変調された輝度成分ＹＭを生成することができる。
【００７５】
遅延部５２はデータ処理部５８で変調された輝度成分ＹＭが生成されるまで色彩成分Ｕ、Ｖを遅延させる。及び、遅延部５２は変調された輝度成分ＹＭと同期されるように遅延された色彩成分ＵＤ、ＶＤを輝度／色ミキシング部５４に供給する。
【００７６】
輝度／色ミキシング部５４は、変調された輝度成分ＹＭ及び遅延された色彩成分ＵＤ、ＶＤを利用して第２データＲｏ、Ｇｏ、Ｂｏを生成する。ここで、第２データＲｏ、Ｇｏ、Ｂｏは数学式４乃至６により求められる。
【００７７】
［数学式４］
Ｒ＝Ｙ＋０.０００×Ｕ＋１.１４０×Ｖ
［数学式５］
Ｇ＝Ｙ−０.３９６×Ｕ−０.５８１×Ｖ
［数学式６］
Ｂ＝Ｙ＋２.０２９×Ｕ＋０.０００×Ｖ
【００７８】
輝度／色ミキシング部５４で求められた第２データＲｏ、Ｇｏ、Ｂｏは明暗対比が拡張された変調された輝度成分ＹＭにより生成されているので、第１データＲｉ、Ｇｉ、Ｂｉに比べて明暗対比が拡張される。このように明暗対比が拡張されるように生成された第２データＲｏ、Ｇｏ、Ｂｏはタイミングコントローラ３０に供給される。
【００７９】
制御部６８は、システム４０から入力される第１垂直／水平同期信号Ｖｓｙｎｃ１、Ｈｓｙｎｃ１、第１クロック信号ＤＣＬＫ１、第１データイネーブル信号ＤＥ１の入力を受ける。また、制御部６８は、第２データＲｏ、Ｇｏ、Ｂｏに同期されるように第２垂直／水平同期信号Ｖｓｙｎｃ２、Ｈｓｙｎｃ２、第２クロック信号ＤＣＬＫ２、第２データイネーブル信号ＤＥ２を生成してタイミングコントローラ３０に供給する。
【００８０】
バックライト制御手段７２はヒストグラム分析部５６から制御値を抽出して、抽出された制御値を利用して明るさ制御信号（Ｄｉｍｍｉｎｇ）を生成する。ここで、制御値はヒストグラムで一番多い頻度数を有する最頻値またはヒストグラムの平均階調を示す平均値中からいずれかが選択される。
【００８１】
バックライト制御手段７２は制御値抽出部６０、バックライト制御部６４を具備する。制御値抽出部６０はヒストグラムから最頻値または平均値を抽出して、抽出された最頻値または平均値の階調を制御値としてバックライト制御部６４に供給する。一方、制御値抽出部６０は、制御値として最頻値が利用される場合に最頻値の頻度数に対応して以前最頻値または現在最頻値を制御値として選択する。言い換えると、制御値抽出部６０は、現在抽出された最頻値の頻度数が全体ピクセルの４０％以下に設定される場合に以前最頻値に対応する階調を制御値として選択して、それ以外の場合には現在抽出された最頻値の階調を制御値として選択する。
【００８２】
バックライト制御部６４は、制御値に対応する輝度の光を供給することができるように、明るさ制御信号（Ｄｉｍｍｉｎｇ）を生成してインバータ３６に供給する。ここで、バックライト制御部６４は、制御値が高いほどバックライト３８ａ乃至３８ｉのオン時間を長く設定して、制御値が低いほどバックライト３８ａ乃至３８ｉのオン時間を短く設定する。
【００８３】
これを詳細に説明すれば、先ず、バックライト制御部６４は制御値が低い階調を有する場合、図７Ａのようにバックライト３８ａ乃至３８ｉのオン時間を第１期間Ｔ１に設定することができるように明るさ制御信号（Ｄｉｍｍｉｎｇ）を生成してインバータ３６に供給する。それにより、インバータ３６はバックライト３８ａ乃至３８ｉのオン時間が第１期間Ｔ１を有するようにバックライト３８ａ乃至３８ｉを順次的に点滅させる。
【００８４】
一方、バックライト制御部６４は制御値が高い階調を有する場合、図７Ｂのようにバックライト３８ａ乃至３８ｉのオン時間を第１期間Ｔ１より広い幅を有する第２期間Ｔ２（１フレーム期間よりは短い期間）に設定することができるように明るさ制御信号（Ｄｉｍｍｉｎｇ）を生成してインバータ３６に供給する。それにより、インバータ３６はバックライト３８ａ乃至３８ｉのオン時間が第２期間Ｔ２を有するようにバックライト３８ａ乃至３８ｉを順次的に点滅させる。実際に、バックライト制御部６４は制御値に比例してバックライト３８ａ乃至３８ｉのオン時間を設定する。
【００８５】
このように本発明では、一つのフレーム分の輝度成分を利用してヒストグラムを生成して、このヒストグラムを利用して明暗対比が強調された第２データＲｏ、Ｇｏ、Ｂｏを生成するので従来に比べて躍動感のある映像を表示することができる。同時に、本発明では平均ヒストグラムから制御値を抽出して、抽出された制御値を利用してバックライト３８ａ乃至３８ｉの輝度を制御することで従来に比べて生々しくて躍動感のある映像を表示することができる。尚、本発明ではバックライト３８ａ乃至３８ｉを順次的に点灯させることでモーションブラー現象を最小化することができる。
【００８６】
図８は本発明の他の実施例に係る画質改善部４２を示す図面である。図８において、図５と同一な構成は同一な図面符号をもって簡略に説明する。
【００８７】
図８を参照すれば、本発明の他の実施例に係る画質改善部４２は第１データＲｉ、Ｇｉ 、Ｂｉを利用して第２データＲｏ、Ｇｏ、Ｂｏを生成するための映像信号変調手段７０と、映像信号変調手段７０の制御により明るさ制御信号（Ｄｉｍｍｉｎｇ）を生成するためのバックライト制御手段８０及び第２垂直／水平同期信号Ｖｓｙｎｃ２、Ｈｓｙｎｃ２、第２クロック信号ＤＣＬＫ２、第２データイネーブル信号ＤＥ２を生成するための制御部６８と、を具備する。
【００８８】
映像信号変調手段７０は第１データＲｉ、Ｇｉ、Ｂｉから輝度成分Ｙを抽出して、抽出された輝度成分Ｙを利用して明暗対比が部分的に強調された第２データＲｏ、Ｇｏ、Ｂｏを生成する。このために、映像信号変調手段７０は輝度／色分離部５０、遅延部５２、輝度／色ミキシング部５４、ヒストグラム分析部５６及びデータ処理部５８を具備する。
【００８９】
輝度／色分離部５０は、数学式１乃至３を利用して第１データＲｉ、Ｇｉ、Ｂｉを輝度成分Ｙ及び色彩成分Ｕ、Ｖで分離する。ヒストグラム分析部５６は輝度成分Ｙをフレーム単位の階調で区分してヒストグラムを生成する。データ処理部５８はヒストグラム分析部５６から分析されたヒストグラムを利用して明暗対比が強調された変調された輝度成分ＹＭを生成する。
【００９０】
遅延部５２はデータ処理部５８で変調された輝度成分ＹＭが生成されるまで色彩成分Ｕ、Ｖを遅延させる。及び、遅延部５２は変調された輝度成分ＹＭと同期されるように遅延された色彩成分ＵＤ、ＵＶを輝度／色ミキシング部５４に供給する。輝度／色ミキシング部５４は変調された輝度成分ＹＭ及び遅延された色彩成分ＵＤ、ＶＤを利用して第２データＲｏ、Ｇｏ、Ｂｏを生成する。ここで、第２データＲｏ、Ｇｏ、Ｂｏは明暗対比が拡張された変調された輝度成分ＹＭにより生成されたから第１データＲｉ、Ｇｉ、Ｂｉに比べて明暗対比が拡張されるようになる。輝度／色ミキシング部５４で生成された第２データＲｏ、Ｇｏ、Ｂｏはタイミングコントローラ３０に供給される。
【００９１】
制御部６８は、システム４０から入力される第１垂直／水平同期信号Ｖｓｙｎｃ１、Ｈｓｙｎｃ１、第１クロック信号ＤＣＬＫ１、第１データイネーブル信号ＤＥ１の入力を受ける。また、制御部６８は、第２データＲｏ、Ｇｏ、Ｂｏに同期されるように第２垂直／水平同期信号Ｖｓｙｎｃ２、Ｈｓｙｎｃ２、第２クロック信号ＤＣＬＫ２、第２データイネーブル信号ＤＥ２を生成してタイミングコントローラ３０に供給する。
【００９２】
バックライト制御手段８０はヒストグラム分析部５６から制御値を抽出して、抽出された制御値を利用して明るさ制御信号（Ｄｉｍｍｉｎｇ）を生成する。ここで、制御値は多数の映像判別因子により生成される。
【００９３】
このために、バックライト制御手段８０は、加重値付与部８４、制御値生成部８２及びバックライト制御部８６を具備する。制御値生成部８２はヒストグラム分析部５６で生成されたヒストグラムから多数の映像判別因子を抽出する。ここで、映像判別因子には、ヒストグラムの平均値、最頻値、中位値、中間値、最大値、最小値及び範囲値が含まれる。
【００９４】
平均値はヒストグラム階調の平均値（すなわち、一つのフレーム階調の平均値）を意味する。最頻値はヒストグラムで最高頻度数を有する階調値を意味する。中位値はヒストグラムに示した階調値を頻度数に沿って並べる時、その中間に位置される値を意味する。例えば、"１"の階調３回、"２"の階調１回、"３"の階調２回、"４"の階調１回のヒストグラムで階調値を頻度数により並べれば、"１１１２３３４"のように示されるが、ここで中間に位置する価格は"２"なので中位値は"２"に選択される。中間値はヒストグラムで最大階調値及び最小階調値の間を示す中間階調値を意味する。最大値はヒストグラムで示す最大階調値を意味する。最小値はヒストグラムで示す最小階調値を意味する。範囲値はヒストグラムに示す階調値の範囲値として最大値から最小値を差し引いて求められる。
【００９５】
加重値付与部８４は、制御値生成部８２から抽出された多数の映像判別因子に所定の加重値を付与する。ここで、加重値付与部８４は最適の制御値が抽出されるように映像の特徴をよく示す判別因子に高い加重値を付与する。
【００９６】
例えば、加重値付与部８４は平均値及び最頻値に高い加重値を付与して、範囲値に中間の加重値を付与する。また、加重値付与部８４は、最大値、最小値、中位値及び中間値に低い加重値を付与する。これを詳細に説明すれば、平均値及び最頻値はヒストグラムで輝度特性を反映する値なのである。したがって、加重値付与部８４は平均値及び最頻値に高い加重値を付与する。例えば、加重値付与部８４は平均値及び最頻値に１.１５の加重値を付与することができる。（ここで、平均値及び最頻値に付与される加重値は同一または相異なるように設定される。）
【００９７】
また、加重値付与部８４は、ヒストグラムで範囲の特性を示す範囲値に中間の加重値、例えば１.１の加重値を付与する。同時に、加重値付与部８４は最大値、最小値、中位値及び中間値に低い加重値、例えば、０.９の加重値を付与することができる。（ここで、最大値、最小値、中位値及び中間値に付与される加重値は同一または相異なるように設定される。）
【００９８】
映像判別因子に加重値が付与された後、制御値生成部８２は加重値が付与された判別因子を皆加えると同時に、加えた値を判別因子の数で割って制御値を生成する。例えば、加重値が付与された判別因子の値が最頻値１００、平均値９０、範囲値１３０、最大値２００、最小値７０、中位値１０４及び中間値１４０であれば制御値生成部８２は１１９を制御値として生成してバックライト制御部８６に供給する。
【００９９】
バックライト制御部８６は、制御値に対応する輝度の光を供給することができるように明るさ制御信号（Ｄｉｍｍｉｎｇ）を生成してインバータ３６に供給する。
【０１００】
ここで、バックライト制御部８６は図９Ａのように、制御値が最小領域に位置する時はバックライト３８ａ乃至３８ｉのオン時間を短く設定する。また、バックライト制御部８６は、制御値が最小領域に位置する時に制御値の階調に対応してバックライト３８ａ乃至３８ｉのオン時間を線形的に増／減（階調に比例）させる。例えば、バックライト制御部８６は、制御値が最小領域に位置する時に図７Ａのようにバックライト３８ａ乃至３８ｉのオン時間を第１期間Ｔ１に設定することができる。このように制御値が最小領域に位置する時にバックライト３８ａ乃至３８ｉのオン時間を短く設定すれば、モーションブラー現象を最小化する（すなわち、バックライトのオフ時間を増加）と同時に液晶パネル２２において暗い輝度の映像を表示することができる。
【０１０１】
また、バックライト制御部８６は、制御値が最大領域に位置する時はバックライト３８ａ乃至３８ｉのオン時間を長く設定する。また、バックライト制御部８６は、制御値が最大領域に位置する時に制御値の階調に対応してバックライト３８ａ乃至３８ｉのオン時間を線形的に増／減（階調に比例）させる。例えば、バックライト制御部８６は、制御値が最大領域に位置する時に図７Ｂのようにバックライト３８ａ乃至３８ｉのオン時間を第２期間Ｔ２に設定することができる。このように制御値が最大領域に位置する時にバックライト３８ａ乃至３８ｉのオン時間を長く設定すれば、液晶パネル２２においてデータに対応して高い輝度の映像を表示することができる。
【０１０２】
同時に、バックライト制御部８６は、制御値が中間領域に属する時バックライト３８ａ乃至３８ｉのオン時間を最小領域のオン時間及び最大領域のオン時間の間の値に設定する。また、バックライト制御部８６は、制御値が中間領域に属する時に制御値の階調と無関にいつも一定のオン時間を有するようにバックライト３８ａ乃至３８ｉを制御する。例えば、バックライト制御部８６は、制御値が中間領域に属する時に第１期間Ｔ１と第２期間Ｔ２との間の、オン時間を有するように設定することができる。一方、本発明で最小領域、中間領域及び最大領域の階調値は躍動感のある映像を具現することができるように実験的に決まる。言い換えると、最小領域、中間領域及び最大領域の階調値は液晶パネルのインチ、解像度及び設置装置等を考慮して実験的に決まる。（ここで、図５に図示されたバックライト制御部６４も図９Ａにようにバックライトのオン時間を制御することができる。）
【０１０３】
一方、バックライト制御部８６は、図９Ｂのように制御値の階調に比例してバックライト３８ａ乃至３８ｉのオン時間を増減することができるように明るさ制御信号（Ｄｉｍｍｉｎｇ）を生成することができる。ここで、バックライト制御部８６で制御することができる最小輝度値（または、最小オン時間）Ｌ−ｍｉｎ１、Ｌ−ｍｉｎ２は実験的に多様に設定される。
【０１０４】
インバーター３６は明るさ制御信号（Ｄｉｍｍｉｎｇ）に対応してバックライト３８ａ乃至３８ｉのオン時間を制御しながらバックライト３８ａ乃至３８ｉを順次的に点滅させる。
【０１０５】
以上説明した内容を通じて、当業者であれば本発明の技術思想を逸脱しない範囲で多様な変更及び修正ができる。したがって、本発明の技術的範囲は明細書の詳細な説明に記載した内容に限定されるのではなく特許請求の範囲により決められなければならない。
【図面の簡単な説明】
【０１０６】
【図１】従来の液晶表示装置の駆動装置を示すブロック図である。
【図２】本発明の実施例に係る液晶表示装置の駆動装置を示すブロック図である。
【図３】図２に図示されたバックライト部に含まれる多数のバックライトを示す図面である。
【図４】図３に図示されたバックライトが順次的に点灯されることを示す図面である。
【図５】図２に図示された画質改善部を詳細に示すブロック図である。
【図６】図５に図示されたヒストグラム分析部で生成されるヒストグラムの一例を示す図面である。
【図７Ａ】制御値に対応して変化されるバックライトの点灯時間を示す図面である。
【図７Ｂ】制御値に対応して変化されるバックライトの点灯時間を示す図面である。
【図８】本発明の他の実施例に係る画質改善部を示すブロック図である。
【図９Ａ】図８に図示されたバックライト制御部において制御値に対応して輝度を制御する過程を示す図面である。
【図９Ｂ】図８に図示されたバックライト制御部において制御値に対応して輝度を制御する過程を示す図面である。
【符号の説明】
【０１０７】
２、２２・・・液晶パネル
４、２４・・・データドライバ
６、２６・・・ゲートドライバ
８、２８・・・ガンマ電圧供給部
１０、３０・・・タイミングコントローラ
１２、３２・・・電源供給部
１４、３４・・・ＤＣ／ＤＣ変換部
１６、３６・・・インバータ
１８、３８ａ、３８ｂ、３８ｃ、３８ｄ、３８ｅ、３８f、３８ｇ、３８ｈ、３８ｉ・・・バックライト
２０、４０ ・・・システム
３８・・・バックライト部
４２・・・画質改善部
５０・・・輝度／色分離部
５２・・・遅延部
５４・・・輝度／色ミキシング部
５６・・・ヒストグラム分析部
５８・・・データ処理部
６０・・・制御値抽出部
６４、８６・・・バックライト制御部
６８・・・制御部
７０・・・映像信号変調手段
７２・・・バックライト制御手段
８２・・・制御値生成部
８４・・・加重値付与部
【図１】
2005196108.tif 000003
【図２】
2005196108.tif 000004
【図３】
2005196108.tif 000005
【図４】
2005196108.tif 000006
【図５】
2005196108.tif 000007
【図６】
2005196108.tif 000008
【図７Ａ】
2005196108.tif 000009
【図７Ｂ】
2005196108.tif 000010
【図８】
2005196108.tif 000011
【図９Ａ】
2005196108.tif 000012
【図９Ｂ】
2005196108.tif 000013